(57)【要約】      （修正有）【課題】保温冷体使用時の単独での安定立位を可能にし、保温冷体を身体に密着使用する場面において、同時に身体の４面以上を保温冷でき、接続部の選択的使用により、多用途使用できる保温冷体を提供する。【解決手段】底面積が広くなるよう裾を広げ、体に密着しやすい凹形状の曲線形状を有する底面部３５、排水を速やかにする２か所のねじ蓋部３１、垂直圧に耐えられるよう就寝部の板状の柱、また、上からかぶせるだけの容易な着脱ができる正座椅子部やマッサージ部を付属し、この選択的併用使用を可能とする多用途保温冷体を形成する。【選択図】図１
2010057589.tif 000002
【特許請求の範囲】
【請求項１】
上部にふたを備えた液体の注入排出口と、内部に液体収納室を有する筒状体を、底面部材に略垂直に設け、該底面部材の内部は液体収納室となっており前記筒状体の液体収納部とは互いに連通しており更に、該筒状体の外部下方は前記底面部材の上面に対し裾広がりの曲線形状からなる移行部で繋いだ形状であることから、内部に注入する液体の温度により、同時に身体の４面以上を局所的に保温、保冷することが可能となることを特徴とする人体用保温冷体。
【請求項２】
前記筒状体は、底面部材の上面に対し２個の筒状体を並立して設けたことを特徴とする請求項１記載の人体用多用途保温冷体。
【請求項３】
請求項１記載の人体用保温冷体の上面に乗せ使用するために外に設けたもので、下面には、請求項１記載の人体用保温冷体本体上面のねじ蓋に上から垂直に付属するだけで安易な着脱ができるように、請求項１記載の人体用保温冷体のねじ蓋がちょうど収まる大きさの凹部を形成し、ねじ蓋と固定併用使用時には、同時に身体の７面以上を保温・保冷することを可能にする正座椅子型を備えたことを特徴とする請求項１記載の人体用保温冷体。
【請求項４】
請求項１記載の人体用保温冷体の筒状体に外から覆い被せ組み合わせて使用するために外に設けたもので、請求項１記載の人体用保温冷体の筒状体の上から垂直に付属するだけで安易な着脱ができるように、請求項１記載の人体用保温冷体の筒状体がちょうど収まる円柱の筒形を形成し、外面には半球体のマッサージ突起を等間隔に設置したことで、請求項１記載の人体用保温冷体との併用使用時にマッサージ効果を高めながら使用できるマッサージ部を特徴とする請求項１記載の人体用保温冷体。
【発明の詳細な説明】
【技術分野】
【０００１】
本発明は、身体の４面以上を同時に保温、または保冷することを目的とした人体用保温冷体に関するものである。 
【背景技術】
【０００２】
従来のプラスチック製や金属製の人体用保温冷体は、本体に曲線を有することを特徴とするものでも、輻射による緩やかな保温冷を除き、直に身体を保温冷する場面では、身体部位の１面、もしくは下肢部でも両内側の２面、両足底２面しか保温、保冷出来ない形状のものである（例えば、特許文献１、特許文献２参照。）。以下、図１７、図１８により従来の人体用保温冷体について説明する。
【０００３】
上記の、身体の曲線部に密着した保温冷を可能にするものとして、従来のゲル剤を使用した保冷剤や、電子レンジで加熱して使用できる湯たんぽがある。しかしこれらは、ゲル剤が袋状に詰められたものであるため、一定以上の圧力が加わると、袋が破れ中身が出てしまうので、座位時の臀部から大腿部後面や足底面の使用には適さない（例えば、特許文献３参照。）。
【０００４】
立位可能な形状を有する従来の人体用保温体（以下、保温体単独を表す場合は湯たんぽと表記）は、陳列時、給湯時に立位可能であることを目的として作られてきた。それで、睡眠時に布団の中で使用される時には、就寝時には立位であるが、睡眠中立位を保持することが難しく倒れてしまう。睡眠中には、これまで湯たんぽとして使われてきた扁平型のものと同等の効果しか果たせないでいる（例えば、特許文献４、特許文献５参照。）。
【０００５】
従来の、指圧やマッサージ効果用の突起を有するプラスチックや金属製の湯たんぽは、突起の部分も本体完全固定となっている。そのため、部位により人体用保温冷体を身体に密着使用したい場合でも、突起の部分が邪魔し密着使用が容易ではない（例えば、特許文献５参照。）。
【０００６】
人体用保温冷機能も備えた正座椅子は、正座椅子と直接密着している下肢後面について、大腿部、下腿部ともに保温冷が可能である。しかし正座椅子のその形状上、保温冷機能を１番の目的とはしていないため、下腿内側面、下腿前面の保温冷はできていない（例えば、特許文献６参照。）。
【０００７】
水もしくはお湯を中に入れて使用する従来の人体用保温冷体は、注水・排水口が一か所である。その為、注水・排水時に同時に出入りする空気も同じ口より出入りしていることで、注水・排水に時間がかかる。また従来の保温冷体は注水・排水口が一つであるために、注水時に容器内の空気が抜けきらなく残ってしまうような変形をした形状の人体用保温冷体はなく、注水・排水口を中心とした楕円や丸、四角等のひと塊をした形状である。
【０００８】
また、内容物の温度変化による容器の変形に対する耐久力の点からも、従来の人体用保温冷体は楕円や丸、四角等のひと塊をした形状である。
【特許文献１】特開２００７−２６０１４７号
【特許文献２】特開２００７−５４５９０号
【特許文献３】実用新案登録第３０５５７９２号
【特許文献４】実公平０４−０２０４２０
【特許文献５】特開２００５−２４５７７３
【特許文献５】特開２００７−２６１４７
【特許文献６】実用新案登録第３１３６１４６号
【発明の開示】
【発明が解決しようとする課題】
【０００９】
本発明は、このように従来の人体用保温冷体にはいくつかの課題があった前記の点に着目して成されたものであり、その目的は、人体用保温冷体使用時の単独での安定立位が可能である上に、人体用保温冷体を身体に密着使用する場面において、同時に身体の４面以上を保温冷することを可能にし、身体の多面部に実用可能なだけの耐久力を備え、多面的な人体用保温冷体の形状でも、容易に湯水の出し入れを可能とする人体用保温冷体を提供することである。また本発明の他の目的は、人体用保温冷体の身体密着使用の場面で、マッサージ機能及び正座椅子機能を選択利用可能とする多目的人体用保温冷体を提供することである。
【課題を解決するための手段】
【００１０】
前記の課題を解決するため本発明は、プラスチック製もしくは金属製であり、上部にふたを備えた液体の注入排出口と、内部に液体収納室を有する筒状体を、底面部材に略垂直に設け、該底面部材の内部は液体収納室となっており前記筒状体の液体収納部とは互いに連通しており更に、該筒状体の外部下方は前記底面部材の上面に対し裾広がりの曲線形状からなる移行部で繋いだ形状であることから、内部に注入する液体の温度により、同時に身体の４面以上を局所的に保温、保冷することが可能となることを特徴とする人体用保温冷体である。
【００１１】
この人体用保温冷体は、側面からの垂直圧に耐えられるよう、ねじ蓋下の側面部を、裾広がりかつ筒状の形を成型する。また、マッサージ効果を高めるため、ねじ蓋と筒状体を２つずつ設けた場合の人体用保温冷体は、側面からの垂直圧に耐えられるよう、２か所のねじ蓋下の２側面部を、裾広がりかつ筒状の形を成型し、その２本の筒の間に板状の柱を有する。
【００１２】
本発明の人体用保温冷体は、マッサージ効果を高めるため、筒状体を２つ設けた場合は、形状上困難となる冷温水の注水・排水を速やかにすることを目的として、人体用保温冷体の上面に、２か所のねじ蓋を有する。
【００１３】
安定立位可能な広い底面部の形状を有する本発明の人体用保温冷体は、上面の２か所のねじ蓋に、正座椅子型人体用保温冷体の凹部が上から垂直に固定できるよう、上面が一直線の形状をする。この選択的併用使用により、同時に身体の７面以上の保温、保冷が可能になる。
【００１４】
また、この人体用保温冷体の安定立位可能な裾広がりの形状は、人体用保温冷体上面のねじ蓋部から側面にかけての２本の筒状部に、付属のマッサージ部を上からかぶせるだけの固定ができ、着脱を容易にし、選択的併用使用が可能となる。
【発明の効果】
【００１５】
本発明は、上記のように構成されかつ作用するものであるから、人体用保温冷体単独の安定立位により、例えば、足関節周辺曲面部や、就寝時の腋窩周辺の上腕内側から後面部、体幹部外側面から後面など身体の多面に渡り、同時に保温冷することを可能にする。また、多面部に実用可能なだけの耐久力を備えた本体は、座位で蓋下の筒状体を大腿部に挟み使用すると、人体用保温冷体を挟むという動作をすることで使われる大腿内転筋群を、大腿部内側面から後面にかけて直に保温冷却し、血流促進をしながら鍛えることができる。そして、大腿部内側面から後面にかけて直に保温冷却することで、そこを通る大腿動静脈を皮膚表面から保温冷でき、体幹部や足部にも効果的に保温冷できる。また本発明の保温冷体は、単独安定立位により正座椅子型人体用保温冷体やマッサージ部の安定着脱を可能にし、一つの形状から多用途的な人体用保温冷体の使用を可能とするものである。
【発明を実施するための最良の形態】
【００１６】
本発明を実施するには人体用保温冷体を構成する各部の部材は、プラスチック製が望ましい。以下図示の実施形態を参照して本発明をより詳細に説明する。図１は請求項１に記載した、本発明に係る人体用保温冷体の側面から見た斜視図である。人体用保温冷体は、上部にねじ蓋３１を備えた液体の注入排出口と、内部に液体収納室を有する筒状体３２を、底面部材３５に略垂直に設け、該底面部材３５の内部は液体収納室となっており前記筒状体３２の液体収納部とは互いに連通しており更に、該筒状体３２の外部下方と前記底面部材３５の上面は、図１、図２、図３、図４に示すように体に密着する使用ができるための裾広がりの曲線形状からなる移行部３６で繋いだ形状となる。なお、この移行部３６は半径１ｃｍ以上であり、１５ｃｍ以下が望ましい。上記を外れる半径で曲線形状を形成した場合は人体との接触部に隙間ができ好ましくない。
【００１７】
本発明の人体用保温冷体の実施にあたって、液体収納室内に使用する液体は、使用者本人が温度調節をすることで、保温体としても保冷体としても使用できる本発明の特徴からも湯水が好ましい。
【００１８】
図２で示す、２本の筒状の形状をする移行部３２の間は、人体用保温冷体内容物の温度変化による、内部圧力の変化や、使用時にかかる体重の垂直圧による対変形手段の一つとして、人体用保温冷体内部を通り底面部材３５に設置点を持つ柱部３３を形成する。なお図中の斜線部は、保温冷体内を通り底面部材に設置するまでの柱部分である。またこの柱部３３の上方には、持ち運び用の持ち手３４を形成する。
【００１９】
図２で示すねじ蓋３１は、液体の注入口、排水口の蓋である。正座椅子型人体用保温冷体３７を付属する際には、接続部として２か所あることで、正座椅子型人体用保温冷体３７がより安定接続する。
【００２０】
筒状体３２の形状は、実施例図５の示すように使用時に内股のマッサージ効果をより高めるものである。また、付属マッサージ部４１を接続する際には、ねじ蓋３１に、かぶせるだけで簡単な着脱を可能にする。
【００２１】
図７、図９は、本発明の人体用保温冷体を使用し、取り外しにより選択的併用使用可能となる正座椅子型人体用保温冷体３７の斜視図である。正座椅子型人体用保温冷体３７には、図９で示すように、側面方側に持ち運び用持ち手３８を、側面後方には排水口３９を設ける。
【００２２】
正座椅子型人体用保温冷体３７には、正座椅子型人体用保温冷体３７の選択的使用時に上からかかる垂直圧に対する対変形手段として、図１０、図１１、図１２で示すように、中央柱部４０を設ける。
【００２３】
また、正座椅子型人体用保温冷体３７下面には、人体用保温冷体３０と接続時（図７参照）にねじ蓋３１や、筒状体３２、柱部３３の上面と組み合わさるための、凹み４０−１を形成する。凹み４０−１は、図９、図１１、図１２で示すように、中央柱部４０を、人体用保温冷体のねじ蓋部３１、柱部３３、ねじ蓋３１から下の筒状体３２が収まる形にくりぬくように形成する。
【００２４】
図１５は、本発明の人体用保温冷体を使用し、取り外しにより選択的併用使用可能となるマッサージ部の斜視図である。このマッサージ部は、図１６に示すように、本発明に係わる人体用保温冷体の筒状体３２に上から被せるだけの簡単な着脱を可能とする為、筒状体３２がちょうど収まる円柱形で筒状の形状をする。そして、マッサージ部のその上面中央には、本発明に係る人体用保温冷体のねじ蓋３１がちょうど出るだけの大きさの穴４２を設け、筒状体３２の上面が引っ掛かり、マッサージ部がそれより下にさがらないような天井部４５を設ける。また、その天井部のマッサージ部の側面には、人体用保温冷体の柱部３３と接続するためのスリット４３を設ける。
【００２５】
また、このマッサージ部には、その表面に図１４、図１５、図１６に示すような、マッサージ部の全体に並ぶ半球形のマッサージ突起４２を設ける。
【実施例１】
【００２６】
図１参照の本発明に関わる人体用保温冷体は、直径２０ｃｍの円形の底面であり、人体用保温冷体全体の高さは１４ｃｍである。各部位の大きさは、底面から、３ｃｍの高さまでに、移行部３６の裾広がりの形状で、筒状体３２の下端につながり、その筒状体３２は、直径６ｃｍ高さ９ｃｍとする。筒状体３２の上に位置するねじ蓋３１は、直径３ｃｍの円柱形で高さを１．５ｃｍとする。液体収納室までの厚さは、側面上面とも５ｍｍ、底面１ｃｍとする。
【００２７】
図２参照の、本発明に関わる人体用保温冷体の２本筒型は、楕円型の底面は縦２５ｃｍ、横２０ｃｍであり、人体用保温冷体全体の高さは１４ｃｍである。各部位の大きさは、底面から３ｃｍの高さまでに、移行部３６の裾広がりの形状で、筒状体３２の下端につながり、その筒状体３２は、直径６ｃｍ高さ９ｃｍとする。筒状体３２の上に位置するねじ蓋３１は、直径３ｃｍの円柱形で高さを１．５ｃｍとする。また、２個並立する筒状体３２の間に位置する柱部３３は、幅６ｃｍ、高さ１２ｃｍ、厚さ１ｃｍ、中央に位置する持ち手３４は縦２ｃｍ、横５ｃｍの穴状とする。加えて、液体収納室までの厚さは、側面上面とも５ｍｍ、底面１ｃｍとする。
【００２８】
本発明に関わる人体用保温冷体付属の正座椅子型人体用保温冷体３７は、縦２５ｃｍ、横３０ｃｍ、高さ５ｃｍの楕円柱状で、その排水口のねじ蓋３９は人体用保温冷体本体のねじ蓋３１と同じ大きさのものとする。中央に位置する中央柱部４０は縦２０ｃｍ、横１０ｃｍ、高さ５ｃｍで正座部の液体収納室中央を埋めるものとする。また、人体用保温冷体本体との接続凹み４０−１は、直径は本体のねじ蓋３１と筒状体３２の大きさと同じとし、筒状体３２の上から１ｃｍまでが接続するように、凹み中央部の深さを３ｃｍとする。
【００２９】
本発明に関わる人体用保温冷体付属のマッサージ部は、筒状体３２に合わせ、直径６ｃｍ、高さ９ｃｍの筒状とする。ねじ蓋３１との接続する穴４４の直径は３．５ｃｍとする。人体用保温冷体との接続スリット４３は、柱部３３に合わせて、縦９ｃｍ、横１ｃｍとする。また、マッサージ突起４２は直径１ｃｍの半球体を全体に３２個等間隔で配置する。
【００３０】
図５は、本発明の人体用保温冷体をイス座位で大腿内側に挟んで使用した場合の実施例である。この使用方法では、移行部３６の裾広がりの形状により、臀部から大腿部内側面、後面にかけての両側５面以上を、同時に直に保温冷却することで、そこを通る大腿動静脈を皮膚表面から保温冷でき、体幹部や足部にも効果的に保温冷できる。また、座位で蓋下の筒状体３２を大腿部に挟み使用すると、人体用保温冷体を挟むという動作をすることで使われる大腿内転筋群を、大腿部内側面から後面にかけて直に保温冷却し、血流促進をしながら鍛えることができる。
【００３１】
図６は、本発明に係る人体用保温冷体をイス座位で両足に挟んで、足底面や足関節の保温冷に使用した場合の実施例である。側面の移行部３６の裾広がりの凹曲線形のラインの形状あることにより、足底面から、かかと足関節にかけての体の曲線の面にも密着する使用ができる。
【００３２】
図７は、発明に係る人体用保温冷体を使用し、取り外しにより選択的併用使用可能となる正座椅子型人体用保温冷体３７を組み合わせた場合の側面から見た斜視図である。
本発明の人体用保温冷体３０は、保温冷体本体上面のねじ蓋３１に、正座椅子型人体用保温冷体３７の凹部が上から垂直に固定できるようになっている。図１１のように、正座椅子型人体用保温冷体３７の選択的併用使用により、同時に身体の７面（殿部、両大腿後面部、両下腿内側部、両下腿後面部）以上の保温、保冷が可能になる。
【００３３】
図１４は、本発明に係る人体用保温冷体に選択的併用使用可能となるマッサージ部を着けて、イス座位で大腿内側に挟んで使用した場合の実施例である。マッサージ部を取り付けることで、上記００２９の本発明にかかわる人体用保温冷帯単独の効果に加え、大腿内側の部位にマッサージ効果を高めながら保温冷することができ、セルライト除去にも効果的が期待できる。
【図面の簡単な説明】
【００３４】
【図１】本発明の人体用保温冷体の斜視図。
【図２】本発明に係る多用途保温冷体の側面から見た斜視図。
【図３】図２のもの平面図。
【図４】図３の切断面Ａ−Ａの断面図。
【図５】本発明を使用した場合の実施例。
【図６】本発明を使用した場合の実施例。
【図７】本発明の人体用保温冷体を使用し、選択的併用使用可能となる正座椅子型人体用保温冷体を組み合わせた斜視図。
【図８】本発明の人体用保温冷体を使用し、選択的併用使用可能となる正座椅子型人体用保温冷体を組み合わせた側面図。
【図９】正座椅子型人体用保温冷体の斜視図。
【図１０】本発明に係る人体用保温冷体を使用し、選択的併用使用可能となる正座椅子型人体用保温冷体の水平断面。
【図１１】図１０の切断面Ｂ−Ｂの断面図。
【図１２】本発明の人体用保温冷体と組み合わせることで、選択的利用が可能となる正座椅子型人体用保温冷体を組み合わせ、下肢７面を保温冷している実施例。
【図１３】本発明の人体用保温冷体を使用し、選択的併用使用可能となるマッサージ部両側二つを組み合わせた斜視図。
【図１４】本発明の人体用保温冷体を使用し、選択的併用使用可能となるマッサージ部片側単独一側の斜視図。
【図１５】図１４で示された断面Ｃ−Ｃの断面図。
【図１６】本発明の人体用保温冷体に選択的併用使用可能となるマッサージ部を着けて、イス座位で大腿内側に挟んで使用した場合の実施例。
【図１７】従来の人体用保温冷体を仰臥位で腹部と腰部に使用した場合の使用例。Ａは従来の人体用保温冷体である。
【図１８】従来の人体用保温冷体をイス座位で足底部と腰部に使用した場合の使用例。Ａは従来の人体用保温冷体である。
【符号の説明】
【００３５】
（Ａ）従来の人体用保温冷体
３０  人体用保温冷体
３１  ねじ蓋
３２  筒状体
３３  柱部
３４  人体用保温冷体の持ち手
３５  底面部材
３６  移行部
３７  正座椅子型人体用保温冷体
３８  正座椅子型人体用保温冷体の持ち手
３９  正座椅子部型人体用保温冷体の排水口、ねじ蓋
４０  正座椅子型人体用保温冷体の中央柱部
４０−１  人体用保温冷体との接続凹み
４１  マッサージ部
４２  マッサージ突起
４３  人体用保温冷体との接続スリット
４４  穴
４５  天井部  
【図１】
2010057589.tif 000003
【図２】
2010057589.tif 000004
【図３】
2010057589.tif 000005
【図４】
2010057589.tif 000006
【図５】
2010057589.tif 000007
【図６】
2010057589.tif 000008
【図７】
2010057589.tif 000009
【図８】
2010057589.tif 000010
【図９】
2010057589.tif 000011
【図１０】
2010057589.tif 000012
【図１１】
2010057589.tif 000013
【図１２】
2010057589.tif 000014
【図１３】
2010057589.tif 000015
【図１４】
2010057589.tif 000016
【図１５】
2010057589.tif 000017
【図１６】
2010057589.tif 000018
【図１７】
2010057589.tif 000019
【図１８】
2010057589.tif 000020
【手続補正書】
【提出日】平成21年1月9日(2009.1.9)
【手続補正１】
【補正対象書類名】特許請求の範囲
【補正対象項目名】全文
【補正方法】変更
【補正の内容】
【特許請求の範囲】
【請求項１】
上部にふたを備えた液体の注入排出口と、内部に液体収納室を有する２個の筒状体を、底面部材の上面に略垂直に並立して設け、該底面部材の内部は液体収納室となっており前記筒状体の液体収納部とは互いに連通しており更に、該筒状体の外部下方は前記底面部材の上面に対し裾広がりの曲線形状からなる移行部で繋いだ形状であることから、内部に注入する液体の温度により、同時に身体の４面以上を局所的に保温、保冷することが可能となると共に、前記筒状体の上面には、筒状体の蓋が収まる凹部を形成した着脱可能な正座椅子部を備えたことを特徴とする人体用多用途保温冷体。
【手続補正２】
【補正対象書類名】明細書
【補正対象項目名】００１０
【補正方法】変更
【補正の内容】
【００１０】
前記の課題を解決するため本発明は、プラスチック製もしくは金属製であり、上部にふたを備えた液体の注入排出口と、内部に液体収納室を有する２個の筒状体を、底面部材の上面に略垂直に並立して設け、該底面部材の内部は液体収納室となっており前記筒状体の液体収納部とは互いに連通しており更に、該筒状体の外部下方は前記底面部材の上面に対し裾広がりの曲線形状からなる移行部で繋いだ形状であることから、内部に注入する液体の温度により、同時に身体の４面以上を局所的に保温、保冷することが可能となると共に、前記筒状体の上面には、筒状体の蓋が収まる凹部を形成した着脱可能な正座椅子部を備えたことを特徴とする人体用多用途保温冷体である。